(57)【要約】【課題】本発明は、従来にない作用効果を発揮するペット用トイレを提供することを目的とする。【解決手段】ペットＣが排泄する際に該ペットＣが位置する排泄部１が設けられたペット用トイレであって、前記排泄部１の底は多数の通液孔３が設けられた通液底部２として構成され、この通気底部２の底には前記ペットＣの排泄用砂材Ｘが敷設され、前記排泄部１の下方位置には、前記通液孔３を通過して落下する尿を受ける尿受け部４が設けられ、前記通液孔３は、下方側程開口する形状に構成されたものである。【選択図】図１
2019146549.tif 000002
【特許請求の範囲】
【請求項１】
ペットが排泄する際に該ペットが位置する排泄部が設けられたペット用トイレであって、前記排泄部の底は多数の通液孔が設けられた通液底部として構成され、この通気底部の底には前記ペットの排泄用砂材が敷設され、前記排泄部の下方位置には、前記通液孔を通過して落下する尿を受ける尿受け部が設けられ、前記通液孔は、下方側程開口する形状に構成されていることを特徴とするペット用トイレ。
【請求項２】
請求項１記載のペット用トイレにおいて、前記通液孔は、所定の間隔を介して並設される複数の桟部材同士の間隙であることを特徴とするペット用トイレ。
【請求項３】
請求項２記載のペット用トイレにおいて、前記各桟部材は、下方側程細くなる先細り形状に形成されていることを特徴とするペット用トイレ。
【請求項４】
請求項１〜３いずれか１項に記載のペット用トイレにおいて、前記排泄部は箱状本体の上部に設けられ、前記尿受け部は前記箱状本体内に設けられ、前記尿受け部は前記箱状本体の側面部に設けられた側面開口部から出し入れ自在に設けられていることを特徴とするペット用トイレ。
【請求項５】
請求項４記載のペット用トイレにおいて、前記側面開口部を閉塞しペットが前記排泄部に昇降するための昇降用台部が設けられていることを特徴とするペット用トイレ。
【請求項６】
請求項１〜５いずれか１項に記載のペット用トイレにおいて、前記尿受け部には籾殻炭を収納した尿受け袋体が配されていることを特徴とするペット用トイレ。
【請求項７】
請求項６記載のペット用トイレにおいて、前記籾殻炭は含水率２０％（重量）以下のものであることを特徴とするペット用トイレ。
【請求項８】
請求項６，７いずれか１項に記載のペット用トイレにおいて、前記籾殻炭の下方には吸水性を有する吸液部材が設けられることを特徴とするペット用トイレ。
【発明の詳細な説明】
【技術分野】
【０００１】
本発明は、ペット用トイレに関するものである。
【背景技術】
【０００２】
従来から、猫や犬などのためのペット用トイレとして特許第５７６８１９９号に開示されるようなペット用トイレ（以下、従来例）が提案されている。
【０００３】
この従来例は、箱状のトイレ本体の上部にペットの排泄用砂材（通称：トイレ砂）が配される排泄部が設けられ、この排泄部の底は多数の通液孔が設けられた通液底部として構成され、また、通液底部の下方位置には、通液底部を通過した尿を受ける尿受け部が設けられたものである。尚、尿受け部には尿を吸収する尿吸収シートが配設されている。
【０００４】
従って、従来例において、ペットが排泄部上に位置し（乗り）、砂材に糞と尿をすると、糞は砂材に載置され、一方、尿は砂材及び通液底部を通過して尿受け部に落下し、尿受け部の尿吸収シートで吸収保持される。
【先行技術文献】
【特許文献】
【０００５】
【特許文献１】特許第５７６８１９９号公報
【発明の概要】
【発明が解決しようとする課題】
【０００６】
ところで、従来例は、実際の使用場面において、排泄部においてアンモニア臭が強く匂うという問題点がある。
【０００７】
これは、排泄部の通液底部は、砂材を保持する関係上、通液孔を大きくするにも限界があるが、尿が通液孔を通過する際、この尿の一部が通液孔に表面張力により引っ掛かって残存してしまい、この通液底部に残存した尿からアンモニア臭が発生するからである。
【０００８】
本発明は、前述した問題点を解消する、従来にない作用効果を発揮するペット用トイレを提供する。
【課題を解決するための手段】
【０００９】
添付図面を参照して本発明の要旨を説明する。
【００１０】
ペットＣが排泄する際に該ペットＣが位置する排泄部１が設けられたペット用トイレであって、前記排泄部１の底は多数の通液孔３が設けられた通液底部２として構成され、この通気底部２の底には前記ペットＣの排泄用砂材Ｘが敷設され、前記排泄部１の下方位置には、前記通液孔３を通過して落下する尿を受ける尿受け部４が設けられ、前記通液孔３は、下方側程開口する形状に構成されていることを特徴とするペット用トイレに係るものである。
【００１１】
また、請求項１記載のペット用トイレにおいて、前記通液孔３は、所定の間隔を介して並設される複数の桟部材３ａ同士の間隙であることを特徴とするペット用トイレに係るものである。
【００１２】
また、請求項２記載のペット用トイレにおいて、前記各桟部材３ａは、下方側程細くなる先細り形状に形成されていることを特徴とするペット用トイレに係るものである。
【００１３】
また、請求項１〜３いずれか１項に記載のペット用トイレにおいて、前記排泄部１は箱状本体７の上部に設けられ、前記尿受け部４は前記箱状本体７内に設けられ、前記尿受け部４は前記箱状本体７の側面部に設けられた側面開口部８から出し入れ自在に設けられていることを特徴とするペット用トイレに係るものである。
【００１４】
また、請求項４記載のペット用トイレにおいて、前記側面開口部８を閉塞しペットＣが前記排泄部１に昇降するための昇降用台部９が設けられていることを特徴とするペット用トイレに係るものである。
【００１５】
また、請求項１〜５いずれか１項に記載のペット用トイレにおいて、前記尿受け部４には籾殻炭Ｙを収納した尿受け袋体５が配されていることを特徴とするペット用トイレに係るものである。
【００１６】
また、請求項６記載のペット用トイレにおいて、前記籾殻炭Ｙは含水率２０％（重量）以下のものであることを特徴とするペット用トイレに係るものである。
【００１７】
また、請求項６，７いずれか１項に記載のペット用トイレにおいて、前記籾殻炭Ｙの下方には吸水性を有する吸液部材Ｚが設けられることを特徴とするペット用トイレに係るものである。
【発明の効果】
【００１８】
本発明は上述のように構成したから、前述した従来例に比し、例えばペットの排泄後（尿をした後）に長時間放置してもアンモニア臭により周辺環境が害されることを可及的に抑制でき、ひいてはペットを世話する人の排泄処理に伴う負担を軽減できるなど、従来にない作用効果を発揮する画期的なペット用トイレとなる。
【図面の簡単な説明】
【００１９】
【図１】本実施例を示す斜視図である。
【図２】本実施例を説明する分解斜視図である。
【図３】本実施例の要部を説明する断面図である。
【図４】本実施例の要部を説明する断面図である。
【図５】本実施例の使用状態説明図である。
【図６】本実施例の有効性を確認する試験結果を示す表である。
【図７】本実施例の有効性を確認する試験結果を示す表である。
【発明を実施するための形態】
【００２０】
好適と考える本発明の実施形態を、図面に基づいて本発明の作用を示して簡単に説明する。
【００２１】
ペットＣが排泄部１で排泄すると、糞は排泄用砂材Ｘに載置され、尿は排泄用砂材Ｘ及び通液底部２（通液孔３）を通過して下方位置に設けられる尿受け部４に落下する。
【００２２】
本発明の通液孔３は、下方側程開口する形状に構成されているから、通液孔３を構成する壁面が垂直面でなく、対向する壁面同士の間隔が下方側程離れる傾斜面であり、よって、従来例のように通液孔に尿が表面張力により引っ掛かって残存することが生じにくくなり、排泄部１においてアンモニア臭が強く匂うという問題点は生じない。
【実施例】
【００２３】
本発明の具体的な実施例について図面に基づいて説明する。
【００２４】
本実施例は、ペットＣが排泄する際に該ペットＣが位置する排泄部１が箱状本体７の上部に設けられたペット用トイレであって、排泄部１の底は多数の通液孔３が設けられた通液底部２として構成され、この通気底部２の底にはペットＣの排泄用砂材Ｘが敷設され、排泄部１の下方位置には、通液孔３を通過して落下する尿を受ける尿受け部４が設けられている。
【００２５】
具体的には、箱状本体７は、図１，２に図示したように適宜な木製の部材で形成した所定高さを有する直方体形状の中空箱状体であり、正面部７ａ，底面部７ｂ，左右側面部７ｃ，背面部７ｄ及び天面部７ｅとで構成されている。尚、箱状体１は合成樹脂製でも金属製でも良い。
【００２６】
天面部７ｅは、中央部位に方形状の貫通孔７ｅ’が設けられ、この貫通孔７ｅ’に向けて下り傾斜状に設けられている。
【００２７】
また、天面部７ｅには、排泄部１が着脱自在に設けられている。
【００２８】
排泄部１は、図１，２に図示したように適宜な合成樹脂製の部材で形成した容体であり、底部には多数の通液孔３が設けられた通液底部２が設けられている。符号11は砂材飛散防止カバーである。
【００２９】
この通液孔３は、下方側程開口なる形状に構成されている。
【００３０】
具体的には、通液孔３は、図３に図示したように所定の間隔を介して並設される複数の桟部材６同士の間隙で構成されており、この各桟部材６は、下方側程先細りとなる先細り形状に形成され、上端面部は円弧面形状に形成されている。
【００３１】
従って、通液孔３を構成する壁面は垂直面（対向する壁面同士が平行）でなく、対向する壁面同士の間隔が下方側程離れる傾斜面となる。
【００３２】
また、本実施例では、桟部材６同士の間隔は、上部の最も狭い部位同士の間隔Ｌ１が４ｍｍ、下部の最も広い部位同士の間隔Ｌ２が６ｍｍに設定されている（図４参照）。
【００３３】
このＬ１を４ｍｍにしたのは、排泄用砂材Ｘが通過しない間隔であるが、実際に、通液孔３を前述した形状にしたことによる有効性を確認する実験を行った。
【００３４】
具体的には、本実施例の通液孔３を６個備えた試験体１と、本実施例と異なる形状の通液孔（通液孔を構成する壁面は垂直面（対向する壁面同士が平行））を６個備えた試験体２（垂直面同士の間隔は４ｍｍで、厚さは試験体１と同じ厚さ）を用意し、この試験体１及び試験体２夫々の重さを測定し、続いて、試験体１及び試験体２夫々を水中に浸けた後に取り出し、通液孔内に水が残存するか否かを目視で確認すると共に、水中から取り出した１０秒後の重さを測定し（図６参照）、続いて、試験体１及び試験体２夫々の水に浸ける前と後の重さの差を計算した。尚、試験体１及び試験体２夫々に設けられた６個の通気孔における総開口面積は、（４ｍｍ×５０ｍｍ）×６＝１，２００ｍｍ２と同一である。
【００３５】
その結果、試験体１の通液孔３内に水は残存しなかったが、試験体２の通液孔内には水が残存し（水の膜が張ったような状態）、また、試験体２よりも試験体１は残った水分量（ｇ）が少なかった。
【００３６】
この結果から、本実施例における通液孔３の形状が液体を良好に通過させるに有効であることが確認された。
【００３７】
ちなみに、ペットＣが上部に乗る構造上、排泄部１の底は所定以上の厚さが必要であり、この排泄部１の底の厚さが増えるほど、前述した両者の形状の違いによる残存度合いの違いが顕著となる。
【００３８】
また、本実施例では、この各桟部材６に交差する複数の補強桟12が間隙を介して並設されており、この補強桟12の断面形状は桟部材６と同形状、即ち、上端面部が円弧形状であり、下方側程細くなる先細り形状に形成されている。
【００３９】
また、通液底部２の中央部には通液孔形成領域が設けられ、この通液孔形成領域の周辺領域には該通液孔形成領域へ向けて傾斜する傾斜部２ａが設けられている。
【００４０】
また、本実施例では、図２，５に図示したように後述する尿受け部４の上部開口部４ａは、この通液底部２の通液孔形成領域より広い開口面積に設定されている。
【００４１】
また、箱状本体７の正面部には側面開口部10が設けられており、この側面開口部10は、尿受け部４を出し入れ自在に設ける部位である。
【００４２】
尿受け部４は、図２，５に図示したように適宜な木製の部材で形成した平面視方形状の上部開口部４ａを有する直方体形状の箱状体である。
【００４３】
この尿受け部４にはビニール製の尿受け袋体５が着脱自在に設けられ、尿受け部４の上部開口部４ａに尿受け袋体５の開口部を内側から外側へ折り返し係止することで装着される。
【００４４】
この尿受け部４は、側面開口部10から箱状本体７内にして排泄部１の下方位置に配され、通液底部２を通過して落下する尿を受けることになる。
【００４５】
本実施例では、この尿受け袋体５には吸水性及び保水性の高い吸液部材Ｚと、この吸液部材Ｚの上層部に籾殻炭Ｙが収納される。
【００４６】
吸液部材Ｚとしては、例えば三洋化成株式会社製のサンフレッシュＳＴ−２５０（登録商標）・ＳＴ９００Ｅ／アクリル酸モノマー含有の樹脂／アクリル酸塩系（アクリル酸重合体部分ナトリウム塩架橋物の高吸水性樹脂）が採用されている。
【００４７】
籾殻炭Ｙとしては、本出願人が特開２０１１−６７８０９で提案する撥水性籾殻炭（籾殻炭のグラファイト含有量を、籾殻炭１ｇ当たり０．５１ｇ以上とし、含水率２０％以下としたもの）が採用されている。尚、場合によっては、本出願人が特許第５３６０７６９号で提案する親水性籾殻炭（籾殻炭のグラファイト含有量を、この籾殻炭１ｇ当たり０．５ｇ未満としたもの）を採用しても良い。
【００４８】
また、本実施例では、籾殻炭Ｙを６ｃｍ以上の厚みとなるように充填している。
【００４９】
これは、市販の尿吸収シートとの比較試験を行った結果に基づくものである。
【００５０】
具体的には、比較例として市販の尿吸収シートを用意し、一方、本実施例は尿受け部４に籾殻炭Ｙを６ｃｍの厚みとなるように充填し、七日間、両者に対して同量の尿を滴下し、滴下後の両者の重量の変化を比較した。
【００５１】
図７を見るに、本実施例は比較例に比し、滴下後の重量の減りが遅いのが分かる。
【００５２】
即ち、実際に計算して得られた本実施例の蒸発率（蒸発量（１ｇ）／滴下量（７８０ｇ））は、０．１３％であり、一方、比較例の蒸発率（蒸発量（７５ｇ）／滴下量（７９３ｇ））は、９．４６％であり、本実施例は比較例の約１／７２と極めて低い蒸発率となった。
【００５３】
以上から、本実施例は比較例に比して尿が蒸発しにくく周囲に匂いが飛散しない状態であり、実際に実験開始から七日後に本実施例に鼻を近づけて匂いを嗅いでみるとほとんど匂わず、本実施例の有効性が確認された。尚、籾殻炭Ｙの厚さを６ｃｍよりも多くすればより蒸発を低減することができアンモニア臭の飛散を抑制し得るが、コスト面とのバランスを考えると６ｃｍで十分である。
【００５４】
また、箱状本体７には、側面開口部10から収納した尿受け部４を位置決めする位置決め部12が設けられ、この位置決め部12は、平面視において通液底部２の通液孔形成領域が尿受け部４の上部開口部４ａ内に配される位置で該尿受け部４を位置決めするように構成されている。
【００５５】
具体的には、箱状本体７の底面部７ｂは、側面開口部10から尿受け部４を摺動配設し得るように構成され、この底面部７ｂ（内面）には、位置決め部12が設けられ、この位置決め部12は、尿受け部４の摺動をガイドする左右の凸条から成るガイド部12ａと、尿受け部４に係止して摺動を阻止する摺動阻止部（図示省略）とで構成されている。
【００５６】
また、本実施例は、側面開口部８を閉塞しペットＣが排泄部１に昇降するための昇降用台部９が設けられている。
【００５７】
この昇降用台部９は、図１，２に図示したように適宜な木製の部材で形成されたものであり、箱状本体７の側面開口部10を閉塞し得る大きさに設定されている。
【００５８】
この昇降用台部９により箱状本体７の側面開口部８が閉塞されることで体裁が良いのは勿論、より一層周囲への匂いの拡散を抑制することができる。
【００５９】
本実施例は上述のように構成したから、ペットＣは箱状本体７の排泄部１に乗り上がり、この排泄部１に設けられた排泄用砂材Ｘで排泄する。糞は排泄用砂材Ｘに載置され、尿は排泄用砂材Ｘ及び通液底部２を通過して尿受け部４に設けられる尿受け袋体５の籾殻炭Ｙに落下し、この籾殻炭Ｙに落下した尿は直ちに浸透して尿受け袋体５の底部に溜まる。この際、吸液部材Ｚは尿を吸って膨張しつつ尿を保持する（図５参照）。
【００６０】
この状態でペットＣが尿をした後の排泄部に鼻を近づけて匂いを嗅いでも、アンモニア臭がほとんどしない。これは、尿が通液孔３を良好に通過して残存していないからと考える。
【００６１】
そして、この状態でペットＣが尿をした後の尿受け部４に鼻を近づけて匂いを嗅いでも、アンモニア臭がほとんどしない。
【００６２】
これは、籾殻炭Ｙの匂い吸着効果による。しかも、尿は時間の経過とともにアンモニア臭が強くなるところ、籾殻炭Ｙに落下した尿が該籾殻炭Ｙ同士の間を直ちに通過して尿受け袋体５の底部に溜まり、アンモニア臭が強くなる頃には既に籾殻炭Ｙの上層部が所謂蓋となってアンモニア臭の拡散を抑制しているからと考える。
【００６３】
また、通液底部３から落下する尿が籾殻炭Ｙに到達する前に尿受け袋体５の露出する内面に付着し、そのまま放置された場合、この付着した尿からアンモニア臭が拡散してしまうが、この点、本実施例は、尿受け部４の上部開口部４ａは、平面視において通液底部３の通液孔形成領域より広い開口面積に設定されている為、落下する尿が尿受け袋体５の露出する内面に付着することが可及的に防止される。
【００６４】
また、本実施例の尿受け部４は、排泄部１が上部に設けられる箱状本体７の側面部に設けられた側面開口部８から出し入れ自在に設けられているから、尿受け部４への尿受け袋体５の着脱やペットＣの排泄後における排泄部１の処理が簡易且つ良好に行えることになる。
【００６５】
また、本実施例は、箱状本体７には、側面開口部10から収納した尿受け部４を位置決めする位置決め部12が設けられ、この位置決め部12は、平面視において通液底部２の通液孔形成領域が尿受け部４の上部開口部４ａ内に配される位置で該尿受け部４を位置決めするように構成されているから、尿受け部４を最適な位置に簡易且つ確実に配置することができる。
【００６６】
また、本実施例は、通液孔形成領域は通液底部２の中央部に設けられ、この通液孔形成領域の周辺領域には該通液孔形成領域へ向けて傾斜する傾斜部２ａが設けられているから、この点においてもアンモニア臭により周辺環境が害されることを可及的に抑制できることになる。
【００６７】
また、本実施例は、側面開口部８を閉塞しペットＣが排泄部１に昇降するための昇降用台部９が設けられているから、この昇降用階段により箱状本体７の側面開口部が閉塞されることで体裁が良いのは勿論、より一層周囲への匂いの拡散を抑制することができる。
【００６８】
尚、本発明は、本実施例に限られるものではなく、各構成要件の具体的構成は適宜設計し得るものである。
【符号の説明】
【００６９】
Ｃ  ペット
Ｘ  排泄用砂材
Ｙ  籾殻炭
Ｚ  吸液部材
１  排泄部
２  通液底部
３  通液孔
３ａ  桟部材
４  尿受け部
５  尿受け袋体
７  箱状本体
８  側面開口部
９昇降用台部
【図１】
2019146549.tif 000003
【図２】
2019146549.tif 000004
【図３】
2019146549.tif 000005
【図４】
2019146549.tif 000006
【図５】
2019146549.tif 000007
【図６】
2019146549.tif 000008
【図７】
2019146549.tif 000009